(57)【要約】【課題】  開くなどの積極的な操作を行わない限り、第三者がメモ記入領域に記入された情報を見ることができない、低コストで製造することができるメモ用紙を提供すること。【解決手段】  紙面上にメモ記入領域と、紙面の略中央を横断するように設けた主折り線とを有し、主折り線に合わせてメモ記入領域が内側となるように紙面を折り曲げることによって、メモ記入領域内に記入した情報を隠蔽可能としたメモ用紙において、メモ記入領域よりも外側で紙面の端縁よりも内側に、折り曲げた紙面が開くことを防止する開放防止手段を設けることとした。【選択図】図１
2007015173.tif 000002
【特許請求の範囲】
【請求項１】
紙面上にメモ記入領域と、前記紙面の略中央を横断するように設けた主折り線とを有し、前記主折り線に合わせて前記メモ記入領域が内側となるように前記紙面を折り曲げることによって、前記メモ記入領域内に記入した情報を隠蔽可能としたメモ用紙において、
前記メモ記入領域よりも外側で前記紙面の端縁よりも内側に、折り曲げた前記紙面が開くことを防止する開放防止手段を設けたことを特徴とするメモ用紙。
【請求項２】
前記開放防止手段は、略Ｕ字形状の切れ目からなる係止部と、前記紙面を折り曲げた際、前記係止部と対向する位置に、前記係止部を挿入可能に設けた主スリットとからなることを特徴とする請求項１に記載のメモ用紙。
【請求項３】
前記紙面の前記主折り線を境界とした一側に前記係止部を設け、前記係止部と前記主折り線との間に、前記主折り線と平行な副折り線を設けるとともに、
前記主スリットと前記主折り線との略中央位置に、前記係止部を挿入可能な副スリットを設け、
この副スリットに前記係止部を挿入した際に、前記主折り線と前記副折り線との間を座部として自立可能としたことを特徴とする請求項２に記載のメモ用紙。
【請求項４】
前記開放防止手段は、前記紙面と一部連続させた切取り片からなり、同切取り片の一側面を粘着面となすとともに剥離紙で被覆してなることを特徴とする請求項１に記載のメモ用紙。
【請求項５】
前記切取り片における前記紙面との連続部は、前記紙面を開く際に切離可能なくびれ形状としたことを特徴とする請求項４に記載のメモ用紙。
【発明の詳細な説明】
【技術分野】
【０００１】
本発明は、メモ用紙に関するものであり、特に、個人情報の漏洩を防止することができるメモ用紙に関するものである。
【背景技術】
【０００２】
従来より、会社などにおいて、担当者が席を外しているときに顧客などから連絡が入った場合には、顧客の応対にあたった者がその顧客の氏名や連絡事項などをメモ用紙に記載し、そのメモ用紙を担当者の目につく所に置くことにより、席に戻った担当者がそのメモ用紙を見て連絡事項を確認するようにしていた。
【０００３】
そのため、このように使用するメモ用紙は、一般に、メモ用紙の表面に連絡元である顧客の氏名を記入するための氏名記入欄と、その顧客からの連絡事項を記入するためのメモ記入欄とが設けられていた。
【０００４】
しかし、このようなメモ用紙に連絡事項を記載して担当者の目につく所に置いた場合に、メモ用紙に記入した連絡事項が担当者以外の者の目に触れるおそれがあり、連絡事項の内容に機密事項が含まれている場合には、その機密事項が第三者に漏洩してしまうといった問題が生じるおそれがあった。
【０００５】
このような問題を解消するメモ用紙として、第三者が開くなどの積極的な操作を行わない限り、メモ用紙に記載されている連絡事項の内容を見ることができないように構成したものが考案されている（たとえば、特許文献１参照。）。
【０００６】
このメモ用紙は、折部を介して折り重ね可能に連接された第一紙片と第二紙片とのそれぞれの対向面に亘って、第一及び第二紙片の折り重ねにより隠蔽可能なメモ記載部を備えている。
【０００７】
さらに、このメモ用紙は、第一紙片の端縁に差し込み片を突設する共に、第一紙片と第二紙片とを折り合わせたときに差し込み片に相当する第二紙片の所定位置に、差し込み片を差し込み可能なスリットを設けている。
【０００８】
また、このメモ用紙は、第一紙片の対向面の反対側面に再剥離再接着可能な粘着手段を備えている。
【０００９】
そして、このメモ用紙を使用する場合には、まず、メモ記載部に連絡事項を記入した後、第一紙片と第二紙片とをメモ記載部同士が対向面となるように折り合わせ、差し込み部をスリットに差し込むことにより、連絡事項の内容を外部から見えないようにし、その状態でメモ用紙裏面に設けた粘着手段により、このメモを受け取る者の目に付く場所に貼着させるようにしていた。
【特許文献１】特開平８−２５８４６０号公報
【発明の開示】
【発明が解決しようとする課題】
【００１０】
ところが、上記従来のメモ用紙は、差し込み片を紙片の端縁から突出させて設ける必要があったため、メモ用紙端縁の形状が複雑となり、製造コストが増大するおそれがあった。
【００１１】
すなわち、このように端縁の形状が複雑なメモ用紙を製造する場合には、まず、その複雑な端縁の形状と同一形状の刃型を作成し、その刃型により複数枚重合させた紙をくり抜いて製造しなければならないため、その刃型の作成に要する費用が嵩み、結果としてメモ用紙の製造コストが増大するおそれがあった。
【００１２】
また、このメモ用紙の差し込み片は、紙片の端縁から突出しているため、メモ用紙を使用する前に折れ曲がって紙質が軟化するおそれがあり、スリットに挿入する際、紙質が軟化した差し込み片はスリットに挿入しづらいため、挿入操作に手間取るおそれがあった。
【課題を解決するための手段】
【００１３】
そこで、請求項１に係る本発明では、紙面上にメモ記入領域と、紙面の略中央を横断するように設けた主折り線とを有し、主折り線に合わせてメモ記入領域が内側となるように紙面を折り曲げることによって、メモ記入領域内に記入した情報を隠蔽可能としたメモ用紙において、メモ記入領域よりも外側で紙面の端縁よりも内側に、折り曲げた紙面が開くことを防止する開放防止手段を設けることとした。
【００１４】
また、請求項２に係る本発明では、請求項１に記載のメモ用紙において、開放防止手段は、略Ｕ字形状の切れ目からなる係止部と、紙面を折り曲げた際、係止部と対向する位置に、係止部を挿入可能に設けた主スリットとからなることを特徴とする。
【００１５】
また、請求項３に係る本発明では、請求項２に記載のメモ用紙において、紙面の主折り線を境界とした一側に係止部を設け、係止部と主折り線との間に、主折り線と平行な副折り線を設けるとともに、主スリットと主折り線との略中央位置に、係止部を挿入可能な副スリットを設け、この副スリットに係止部を挿入した際に、主折り線と副折り線との間を座部として自立可能としたことを特徴とする。
【００１６】
また、請求項４に係る本発明では、請求項１に記載のメモ用紙において、開放防止手段は、紙面と一部連続させた切取り片からなり、同切取り片の一側面を粘着面となすとともに剥離紙で被覆してなることを特徴とする。
【００１７】
また、請求項５にかかる本発明では、請求項４に記載のメモ用紙において、切取り片における紙面との連続部は、紙面を開く際に切離可能なくびれ形状としたことを特徴とする。
【発明の効果】
【００１８】
本発明によれば、以下に記載するような効果を奏する。
【００１９】
そこで、請求項１に係る本発明では、紙面上にメモ記入領域と、紙面の略中央を横断するように設けた主折り線とを有し、主折り線に合わせてメモ記入領域が内側となるように紙面を折り曲げることによって、メモ記入領域内に記入した情報を隠蔽可能としたメモ用紙において、メモ記入領域よりも外側で紙面の端縁よりも内側に、折り曲げた紙面が開くことを防止する開放防止手段を設けることとしたため、メモ用紙の端縁に差し込み片を突設する必要がなく、メモ用紙の端縁形状が複雑になることもないので、比較的低コストで作成可能な刃型を用いてこのメモ用紙を製造することができ、しかも、開放防止手段を紙面の端縁より内側に設けているため、使用前に開放防止手段が変形することもない。
【００２０】
また、請求項２に係る本発明では、請求項１に記載のメモ用紙において、開放防止手段は、略Ｕ字形状の切れ目からなる係止部と、紙面を折り曲げた際、係止部と対向する位置に、係止部を挿入可能に設けた主スリットとからなることを特徴とするため、比較的単純な形状の刃型により係止部及びスリットを形成できるので、メモ用紙の製造コストを低減することができる。
【００２１】
また、請求項３に係る本発明では、請求項２に記載のメモ用紙において、紙面の主折り線を境界とした一側に係止部を設け、係止部と主折り線との間に、主折り線と平行な副折り線を設けるとともに、主スリットと主折り線との略中央位置に、係止部を挿入可能な副スリットを設け、この副スリットに係止部を挿入した際に、主折り線と副折り線との間を座部として自立可能としたことを特徴とするため、メモを記入した複数枚のメモ用紙を机に置く場合であっても、このメモ用紙をそれぞれ自立させて机の上に置けば、机上で各メモ用紙が占める面積は主折り線と副折り線との間の紙面の面積だけとなり、メモ用紙を置く領域を狭めることができる。
【００２２】
また、請求項４に係る本発明では、請求項１に記載のメモ用紙において、開放防止手段は、紙面と一部連続させた切取り片からなり、同切取り片の一側面を粘着面となすとともに剥離紙で被覆してなることを特徴とするため、剥離紙を剥離した後、紙面を折り合わせて粘着面により紙面同士を貼り合わせるだけで、容易に折り合わせた紙面が開くことを防止でき、メモ記入領域に記入した情報の隠蔽操作を容易に行うことができる。
【００２３】
また、請求項５に係る本発明では、請求項４に記載のメモ用紙において、切取り片における紙面との連続部は、紙面を開く際に切離可能なくびれ形状としたことを特徴とするため、メモ記入領域内に記入された内容を読むために折り合わせた紙面を開くと、切取り片がくびれ形状の部分で容易に切断され、粘着面は紙面に粘着したままの状態となるので、第三者がこのメモ用紙に記入された内容を不正に読んだことを、くびれ形状の部分の切断により確実に認識することができ、第三者は不用意にこのメモ用紙を開くことができず、情報が漏洩することを未然に防止することができる。
【発明を実施するための最良の形態】
【００２４】
本発明に係るメモ用紙は、略矩形状の紙面上に連絡事項や伝言事項などの情報を記入するためのメモ記入領域と、紙面の略中央を横断するように設けた主折り線とを有している。
【００２５】
そして、メモ記入領域に所定の事項を記入した後に、主折り線に合わせてメモ記入領域が内側となるように紙面を折り曲げることによって、メモ記入領域内に記入した情報を隠蔽可能に構成している。
【００２６】
特に、このメモ用紙は、紙面上に設けているメモ記入領域よりも外側で紙面の端縁よりも内側に、折り曲げた紙面が開くことを防止する開放防止手段を設けている。
【００２７】
このように、開放防止手段を設けたことによって、第三者は折り曲げた紙面を開くなどの動作をしない限り、メモ記入領域に記入した情報を読むことができないため、第三者への情報の漏洩を未然に防止することができる。
【００２８】
しかも、開放防止手段は、紙面の端縁から突設したものではなく、紙面端縁より内側に設けているため、メモ用紙の端縁の形状が複雑になることがなく、比較的低コストで作成可能な刃型により、このメモ用紙を製造することができる。
【００２９】
また、この紙面端縁の内側に設けた開放防止手段は、鞄などに入れて持ち歩く場合であっても変形することがない。
【００３０】
この開放防止手段は、メモ用紙を構成する紙面上に形成した略Ｕ字形状の切れ目からなる係止部と、同紙面を折り曲げた際、この係止部と対向する位置に、係止部を挿入可能に設けた主スリットとにより構成するようにしている。
【００３１】
そのため、この係止部を形成するためには、比較的安価な費用で作成可能な略Ｕ字形状の刃型を用いて、複数枚重合させた紙束を打ち抜くことにより容易に形成することができ、主スリットについても同様に、比較的安価な費用で作成可能な刃型を用いて作成することができる。
【００３２】
この係止部と主スリットは、１枚のメモ用紙に少なくとも一対設ければよいが、複数対設けることにより、より確実に折り曲げた紙面が開放されることを防止することができる。
【００３３】
また、係止部は、Ｕ字形状の切れ目に限定されるものではなく、紙面と接続された連続部と、紙面から切り離された切離部とから構成されるものであれば、他の形状をしていてもよく、主スリットは、紙面を折り曲げた際に係止部を構成する接離部が挿入可能な形状であれば任意形状のスリットにより構成することができる。
【００３４】
また、このメモ用紙は、上記係止部を次のように設けることにより、自立可能に形成することができる。
【００３５】
すなわち、紙面上の主折り線を境界とした一側に上記係止部を設け、この係止部と主折り線との間に、主折り線と平行な副折り線を設けるとともに、主スリットと主折り線との略中央位置に、係止部を挿入可能な副スリットをさらに設け、この副スリットに係止部を挿入した際に、主折り線と副折り線との間を座部として、このメモ用紙自体が自立可能となるように構成している。
【００３６】
これにより、それぞれ異なるメモを記入した複数枚のメモ用紙を机に置く場合であっても、このメモ用紙をそれぞれ自立させて机の上に置けば、机上で各メモ用紙が占める面積は、主折り線と副折り線との間の紙面の面積だけとなり、メモ用紙を置く領域を狭めることができ、机上を有効に利用することができる。
【００３７】
さらに、このメモ用紙の開放防止手段を、紙面と一部連続させた切取り片からなり、同切取り片の一側面を粘着面となすとともに剥離紙で被覆するように構成すれば、メモ記入領域に記入した情報を隠蔽する際に、剥離紙を剥離して粘着面を露出させ、その後、紙面を折り合わせて粘着面を対向する紙面に粘着させるだけで、容易に隠蔽作業を行うことができ、確実に折り合わせた紙面が開くことを防止することができる。
【００３８】
しかも、この切取り片における紙面との連続部は、紙面を開く際に切離可能なくびれ形状となるように形成している。
【００３９】
これにより、このメモ用紙は、メモ記入領域内に記入された内容を読むために折り合わせた紙面を開くと、切取り片がくびれ形状の部分で容易に切断され、粘着面は紙面に粘着したままの状態を維持される。
【００４０】
そのため、第三者がこのメモ用紙に記入された内容を不正に読んだ場合には、切断されたくびれ形状の連続部により確実に認識されるので、第三者は不用意にこのメモ用紙を開くことができず、これにより情報が漏洩することを未然に防止することができる。
【００４１】
以下、本発明に係るメモ用紙の第１〜第３実施形態について、図面を参照して具体的に説明する。
【００４２】
なお、以下の説明では、会社などにおいて、担当者が席を外しているときに、顧客などから電話による連絡が入った場合、若しくは、顧客などの訪問があった場合に、その顧客の対応にあたった者が顧客から受けた用件を記入して担当者の机などに載置しておくことによって、席に戻った担当者へ顧客からの連絡事項を伝えるために用いるメモ用紙を例に挙げて説明する。
（第１実施形態）
図１(a)は、第１実施形態に係るメモ用紙を示す平面図であり、図１(b)は、メモ記入領域に記入した情報を隠蔽した状態のメモ用紙を示す平面図であり、図１(c)は、図１(b)に示すＡ−Ａ'線における断面図である。
【００４３】
図１(a)に示すように、メモ用紙１は、矩形状の紙面２上にメモ記入領域３a、３bと、紙面２の略中央を横断するように主折り線４とを有しており、メモ記入領域３の外側で紙面２の端縁よりも内側に、折り曲げた紙面が開くことを防止する開放防止手段５を有している。
【００４４】
ここで、主折り線４の上側に設けているメモ記入領域（以下、「上側メモ記入領域３a」という。）には、顧客から連絡を受けた日時を記入する日付記入欄、顧客の会社名記入欄、担当者への伝言事項をチェックマークにより示す伝言事項チェック欄などを予め設けておくようにしている。
【００４５】
また、この上側メモ記入領域３aの上側には、顧客の担当者名を記入する連絡元記入欄６と、連絡を受け付けた順番を記入する受付順記入欄７とを設けるようにしている。
【００４６】
一方、主折り線の下側に設けているメモ記入領域（以下、「下側メモ記入領域３b」という。）には、顧客からの連絡事項（用件）の詳細な内容などを記入する用件記入欄を設けるようにしている。
【００４７】
主折り線４は、上記した上側メモ記入領域３a及び下側メモ記入領域３bに所定の事項や情報などを記入した後に、その記入内容を隠蔽するため紙面を折り曲げるときにガイドとなる線である。
【００４８】
この主折り線４は、メモ用紙を製造する際に、複数枚重合させた紙束の上方から、主折り線４の形成予定線を押圧することにより形成される折り目により構成するようにしている。
【００４９】
なお、この主折り線４の形成方法は、これに限定するものではなく、主折り線４の形成予定線上に所定間隔を開けて孔を設けることによって形成してもよく、また、主折り線４の形成予定線上に主折り線４が分かるような印刷を施すことによって形成してもよい。
【００５０】
また、この主折り線４の形成位置は、紙面２の略中央を横断する位置であればよいが、好適には、図１に示すように、紙面中央よりやや下側に設け、この主折り線４に合わせて紙面２を折り合わせたときに、上記した連絡元記入欄６と受付順記入欄７とが下側メモ記入領域３bを設けた紙面２で隠れない位置に設けるようにする。
【００５１】
また、このメモ用紙１が備える開放防止手段５は、下側メモ記入領域３bの下側で、紙面２の下端よりも上側位置に設けた係止部５aと、上側メモ記入領域の上側で連絡元記入欄６の下側に設けた主スリット５bとにより構成している。
【００５２】
この係止部５aは、複数枚重合させた紙面２を上方から断面視略Ｕ字形状の刃型で押圧することにより形成した、正面視略Ｕ字形状の切れ目により構成している。
【００５３】
また、主スリット５bは、複数枚重合させた紙面２を上方から断面し細長矩形状の刃型で押圧することにより形成するようにしている。なお、このとき用いる刃型の長手方向の長さは係止部５aの幅よりも若干長めのものを用いるようにしている。
【００５４】
このように構成したメモ用紙１を使用する場合に、顧客の対応にあたった者は、まず、顧客からの電話を受けた時刻又は顧客の訪問時刻や、顧客からの連絡事項や用件などの情報を、連絡元記入欄６、受付順記入欄７、上側メモ記入領域３a、下側メモ記入領域３bの各位置に記入する。
【００５５】
その後、図１(b)に示すように、上側メモ記入領域３a及び下側メモ記入領域３bが共に内側となるように、主折り線４に合わせて紙面２を折り曲げて、上記メモ記入領域３a及び下側メモ記入領域３bに記入した情報を隠蔽した後、図１(c)に示すように、開放防止手段５の係止部５aを主スリット５bに挿入することにより折り曲げた紙面２が開放しない状態にして、席を外している担当者の机の上など、その担当者の目に留まる場所に載置する。
【００５６】
このように、第１実施形態のメモ用紙１は、第三者が開くなどの操作を行わない限り折り曲げたメモ用紙１が開くことがなく、このメモ用紙１に記入された情報を第三者が見ることができないように構成している。
【００５７】
さらに、このメモ用紙１は、開放防止手段５を紙面２の端縁より内側に設けているため、紙面２の端縁形状を平面視矩形状という比較的簡単な形状にすることができ、しかも、開放防止手段５の係止部５a及び主スリット５bに関しても、比較的簡単な形状であるため、比較的低コストで形成可能な刃型を用いて製造することができ、これにより、メモ用紙１の製造コストが増大することを防止することができる。
【００５８】
そのうえ、開放防止手段５の係止部５aは、メモ用紙１を使用する前の状態、すなわち、メモ用紙１を折り曲げずに複数枚重合させている状態において、紙面２と同一平面上に納まっているため、メモ用紙を持ち運ぶ際に係止部５aが折れ曲がることがなく、主スリット５bへ挿入するときに始めて折り曲げられるものであるため、主スリット５bへ容易に挿入することができる。
（第２実施形態）
図２(a)は、第２実施形態に係るメモ用紙を示す平面図であり、図２(b)は、メモ記入領域に記入した情報を隠蔽した状態のメモ用紙を示す平面図であり、図３(a)は、自立可能な状態としたメモ用紙を示す概観斜視図であり、図３(b)は、自立可能な状態にしたメモ用紙を示す正面図であり、図３(c)は、図３(b)に示すＢ−Ｂ'線における断面図である。
【００５９】
なお、図２及び図３に示すメモ用紙において、図１に示すメモ用紙１の構成要件と同様の構成要件には同一の符号を付することにより、その説明を省略する。
【００６０】
図２(a)に示すメモ用紙１aは、図１(a)に示すメモ用紙１と同様に、紙面２上に上側メモ記入領域３aと、下側メモ記入領域３bと、主折り線４と、連絡元記入欄６と、受付順記入欄７とを備えている。
【００６１】
特に、このメモ用紙１aの開放防止手段５を構成する係止部５a、５aは、主折り線４を境界とした一側、すなわち、第２メモ記入領域３bの両外側下方位置で紙面２の端縁より内側に形成した略Ｕ字形状の切れ目により構成している。
【００６２】
さらに、このメモ用紙１aは、これら各係止部５a、５aと主折り線４との間に、主折り線４と平行な副折り線４aを備えている。
【００６３】
また、このメモ用紙１aを主折り線４に合わせて折り曲げた際に、各係止部５a、５aと当接する位置に、この係止部５a、５aをそれぞれ挿入可能な主スリット５b、５bを備えている。
【００６４】
そして、これら各主スリット５b、５bと主折り線４との略中央位置に、係止部５a、５aを挿入可能な幅を有する副スリット５c、５cを備えている。
【００６５】
このように構成することにより、このメモ用紙１aは、第１実施形態に記載したメモ用紙１と同様に、紙面２を主折り線４に合わせて折り曲げて係止部５a、５aを主スリット５b、５bに挿入すれば、上側メモ記入領域３a及び下側メモ記入領域３bに記入した情報を隠蔽することができ、しかも、各係止部５a、５aを副スリット５c、５cに挿入すれば、情報を隠蔽した状態で主折り線４と副折り線４aとの間の紙面を座部として、このメモ用紙１a自体を自立させることもできる。
【００６６】
このように構成したメモ用紙１aを使用する場合に、顧客の対応にあたった者は、第１実施形態に記載したメモ用紙１と同様に、顧客からの電話を受けた時刻又は顧客の訪問時刻や、顧客からの連絡事項や用件などの情報を、連絡元記入欄６、受付順記入欄７、上側メモ記入領域３a、下側メモ記入領域３bの各所定位置に記入する。
【００６７】
ここで、このメモ用紙１aを第１実施形態に記載したメモ用紙１と同様に使用する場合には、主折り線４に合わせて、上側メモ記入領域３a及び下側メモ記入領域３bが内側になるように紙面２を折り曲げることにより、上側メモ記入領域３a及び下側メモ記入領域３bに記入した情報を隠蔽し、その後、各係止部５a、５aを、それぞれ対応する各主スリット５b、５bに挿入することにより、折り曲げた紙面２が開くことを防止して、席に戻った担当者の目に留まる場所に載置する。
【００６８】
こうすることにより、このメモ用紙１aは、図２(b)に示すように、顧客の氏名だけをメモ用紙１aの外側から見ることができる状態となり、メモ用紙１aに記入した情報の具体的な内容は外部から見ることができない状態になる。
【００６９】
一方、メモ用紙１aを自立させて使用する場合には、メモ用紙１aに必要な情報を記入した後、上側メモ記入領域３a及び下側メモ記入領域３bがそれぞれ内側となるように、主折り線４と副折り線４aとに合わせて紙面２を折り曲げることにより、上側メモ記入領域３a及び下側メモ記入領域３bに記入した情報を隠蔽する。
【００７０】
その後、各係止部５aをそれぞれ対応する各副スリット５c、５cに挿入することにより、図３(a)に示すように、卓上に自立可能な形状とするとともに、折り曲げた紙面２が開放することを防止して、机の上など担当者の目に留まる場所に載置する。
【００７１】
こうすることにより、このメモ用紙１aは、図３(b)に示すように、連絡元記入欄６に記入された顧客の氏名と、上側メモ記入領域３aに記入された会社名だけが外部から見ることができる状態となり、下側メモ記入領域３bに記入された情報など、用件の詳細な内容は外部から見ることができない状態となる。
【００７２】
そして、このメモ用紙１aは、図３(c)の断面図に示すように、主折り線４と副折り線４aとの間の紙面２が断面視三角形の底辺となり、この底辺部分を座部として卓上に自立可能な状態となる。
【００７３】
このように、第２実施形態に係るメモ用紙１aは、第１実施形態に記載したメモ用紙１と同様に折りたたんで使用することができるだけでなく、卓上に自立可能な状態としても使用することもでき、自立可能な状態で使用すれば、このメモ用紙１aを受け取る担当者の机に複数件分のメモ用紙を載置した場合であっても、机の上でメモ用紙１aが占める領域を可及的に狭くすることができる。
（第３実施形態）
図４(a)は、第３実施形態に係るメモ用紙を示す平面図であり、図４(b)は、メモ記入領域に記入した情報を隠蔽した状態のメモ用紙を示す平面図である、
また、図５(a)は、図４(b)に示すC−C'線における断面図であり、図５(b)は、情報を記入したメモ用紙が開放された状態を示す概観斜視図であり、図６は、係止部の変形例を示すメモ用紙の平面図である。
【００７４】
なお、図４〜図６に示すメモ用紙において、図１に示すメモ用紙１の構成要件と同様の構成要件には同一の符号を付することにより、その説明を省略する。
【００７５】
図４(a)に示すメモ用紙１bは、図１(a)に示すメモ用紙１と同様に、紙面２上に上側メモ記入領域３aと、下側メモ記入領域３bと、主折り線４と、連絡元記入欄６と、受付順記入欄７とを備えている。
【００７６】
また、このメモ用紙１bは、図４(a)に示すように、下側メモ記入領域３bよりも下側で、メモ用紙１bの下端よりも上側の位置に開放防止手段５を備えている。
【００７７】
特に、この開放防止手段５は、紙面２と一部連続している切取り片５dにより構成しており、この切取り片５dは連続部５eで紙面２と連続され、（図４(b)参照。）、この連続部５eの幅を切取り片５dの幅よりも狭いくびれ形状なるように構成している。
【００７８】
また、この切取り片５dの一側面（下側メモ記入領域３bを設けている側の面）は、粘着材を塗布することにより粘着面としており、この粘着面は剥離紙５fにより被覆するようにしている。
【００７９】
このように構成することにより、このメモ用紙１bは、紙面２を主折り線４に合わせて折り曲げ、剥離紙５fを剥離した後、粘着面を上側メモ記入領域３aに粘着させることによって、上側メモ記入領域３a及び下側メモ記入領域３bに記入した情報を隠蔽することができ、しかも、後に紙面２を開く際には、切取り片５dの連続部５eが紙面２から切離するため、この連続部５eの状態（紙面２と連続しているか否か。）により、このメモ用紙１bに記入された情報が第三者に読まれたか否かを容易に判断することができる。
【００８０】
すなわち、このように構成したメモ用紙１bを使用する場合に、顧客の対応にあたった者は、第１実施形態に記載したメモ用紙１と同様に、顧客からの電話を受けた時刻又は顧客の訪問時刻や、顧客からの連絡事項や用件などの情報を、連絡元記入欄６、受付順記入欄７、上側メモ記入領域３a、下側メモ記入領域３bの各所定位置に記入する。
【００８１】
その後、図４(a)(b)に示すように、切取り片５dから剥離紙５fを剥離した後、上側メモ記入領域３a及び下側メモ記入領域３bが共に内側となるように、主折り線４に合わせて紙面２を折り曲げることにより、上記メモ記入領域３a及び下側メモ記入領域３bに記入した情報を隠蔽する。
【００８２】
そして、切取り片５dの粘着面を上側メモ記入領域３aの所定位置に粘着させることによって、折り曲げた紙面２が開かない状態にして、席を外している担当者の机の上など、その担当者の目に留まる場所に載置する。
【００８３】
そして、後に席に戻った担当者は、このメモ用紙１bを開いてメモ用紙１bに記載されている顧客からの用件を読むことになるが、このとき、メモ用紙１bの切り取り片５dは、図５(b)に示すように、連続部５eのところで紙面２から切離して、上側メモ記入領域３a側に残存した状態となる。
【００８４】
このように、第３実施形態のメモ用紙１bは、第１実施形態に記載したメモ用紙１と同様に、上側メモ記入領域３a及び下側メモ記入領域３bに記入した情報を隠蔽することができるだけでなく、紙面２を開いた場合には、必ず切取り片５dの連続部５eが紙面２から切離した状態となるので、この連続部５eが封印として機能し、第三者によりこのメモ用紙１bに記入されている内容を読まれることがなく、情報の漏洩を未然に防止することができる。
【００８５】
また、上記したように紙面２を開いたときに、切取り片５dが上側メモ記入領域３aに残存するようにしたため、切取り片５dの粘着面が紙面２上に露出することがない。
【００８６】
そのため、使用した後のメモ用紙１bをシュレッダーにかけても、粘着材がシュレッダーの刃に付着することがないため、シュレッダーによりメモ用紙１bを粉砕してから廃棄することができるので、個人情報などが漏洩することを防止することができる。
【００８７】
なお、この実施形態に記載したメモ用紙１bでは、上側メモ記入領域３aで、切取り片５dの粘着面と当接する位置に連絡元の会社名を記入する欄などを設けず、空白にしておくことが好ましく、こうすることにより紙面２を開いた際に、残存している切取り片５dにより記入した内容が隠れることを防止することができる。
【００８８】
また、第３実施形態のメモ用紙１bの切取り片５dは、図４(b)に示すように、平面視略三角形状とし、その頂点部分に紙面２と連続する連続部５eを設けるようにしたが、切取り片５dの形状はこれに限定するものではなく、連続部５eの幅が切取り片５dの幅よりも狭いくびれ形状であって、紙面２を開く際に連続部５eが容易に紙面２から切離する形状であれば任意の形状とすることができ、例えば図６に示すように、切取り片５dの形状を略矩形状とし、この切取り片５dの上端の一部に紙面２と連続する連続部５eを設けてもよい。
【００８９】
以上説明してきたように、本発明に係るメモ用紙は、開くなどの積極的な操作を行わない限り、第三者がメモ記入領域に記入された情報を見ることができず、しかも、低コストで製造することができる。
【００９０】
また、このメモ用紙は、再剥離再接着可能な粘着手段を設けていないため、紙面上に粘着面が露出することがないため、シュレッダーにより粉砕してもシュレッダーの刃に悪影響を与えることがなく、情報の漏洩を防止しながら容易に廃棄することができる。
【００９１】
また、上記実施形態では、このメモ用紙を、会社などにおいて、担当者が席を外しているときに、顧客の対応にあたった者が顧客から受けた用件を記入して担当者の机などに載置して担当者へ顧客からの連絡事項を伝えるために用いる場合を例に挙げて説明したが、本発明はこれに限定されるものではなく、様々な用途に用いることができる。
【００９２】
例えば、このメモ用紙をアンケート用紙として使用する場合には、紙面を折り曲げて内容を隠蔽可能な位置に、アンケートに答えた者の住所や氏名などの個人情報を記入する欄を設けることができる。
【００９３】
こうすることにより、アンケートを答えた者の個人情報が容易に第三者に漏洩することを防止することができる。
【００９４】
その他、このメモ用紙を名刺として使用する場合には、紙面の裏面側、すなわち、メモ記入領域の裏側に名刺の差出人の氏名や会社名などを印刷しておく。
【００９５】
こうすることによって、名刺を差し出す際に、メモ記入領域に自由に用件などを移入して差し出すことができ、しかも、その用件の内容を第三者に読まれることもない。
【００９６】
また、メモ記入領域を空白のまま差し出した場合は、この名刺を受け取った者は、この名刺を通常の伝言メモ用紙として再利用することができる。
【００９７】
しかも、この名刺を伝言メモ用紙として再利用した場合には、メモ記入領域を隠蔽するために紙面を折り曲げると、名刺の差出人の氏名や会社名が表に表れることとなり、名刺差出人の会社の広告として機能させることもできる。
【図面の簡単な説明】
【００９８】
【図１】第１実施形態に係るメモ用紙を示す説明図である。
【図２】第２実施形態に係るメモ用紙を示す説明図である。
【図３】第２実施形態に係るメモ用紙を示す説明図である。
【図４】第３実施形態に係るメモ用紙を示す説明図である。
【図５】第３実施形態に係るメモ用紙を示す説明図である。
【図６】係止部の変形例を示すメモ用紙の平面図である。
【符号の説明】
【００９９】
１〜１b  メモ用紙
２  紙面
３a  上側メモ記入領域
３b  下側メモ記入領域
４  主折り線
４a  副折り線
５  開放防止手段
５a  係止部
５b  主スリット
５c  副スリット
５d  切取り片
５d  連続部
５f  剥離紙
６  連絡元記入欄
７  受付順記入欄
【図１】
2007015173.tif 000003
【図２】
2007015173.tif 000004
【図３】
2007015173.tif 000005
【図４】
2007015173.tif 000006
【図５】
2007015173.tif 000007
【図６】
2007015173.tif 000008